(57)【特許請求の範囲】
【請求項１】
集合住宅の各住戸に設置されている複数の端末機器とセンタとの間での情報通信を中継する集中伝送盤であって、
通信制御部と補助通信制御部とを備え、
前記通信制御部は、
前記端末機器から前記センタへの通信内容を受け付ける受付処理を行い、前記センタへ、前記端末機器からの通信内容が変換されたＩＰパケットの伝送処理をＩＰ通信により行うと共に、
前記複数の端末機器のうちの一つの端末機器から前記センタへの通信内容を受け付けた後、当該通信内容が変換されたＩＰパケットの前記伝送処理が終了する前に他の端末機器から前記センタへの別の通信内容を受け付けると、前記一つの端末機器から前記センタへの前記通信内容が変換されたＩＰパケットの前記伝送処理が終了するまで当該別の通信内容の保留処理を行って当該別の通信内容を前記補助通信制御部に記憶させ、
前記一つの端末機器から前記センタへの前記通信内容が変換されたＩＰパケットの前記伝送処理が終了した後、前記補助通信制御部に記憶させている前記別の通信内容を読み出して前記センタへの当該別の通信内容が変換されたＩＰパケットの伝送処理を行うように構成されている集中伝送盤。
【請求項２】
前記補助通信制御部は、前記他の端末機器による前記別の通信内容が保留処理の対象となっている間に前記他の端末機器との通信内容がタイムアウトしないように、前記他の端末機器に対して通信継続を指示する請求項１記載の集中伝送盤。
【請求項３】
請求項１又は２記載の集中伝送盤と、前記複数の端末機器と、前記センタとを備える端末機器監視システム。
【請求項４】
前記集中伝送盤と前記複数の端末機器との間の情報通信は、前記集中伝送盤と前記複数の端末機器との間に各別に配設された専用線を用いた回線交換方式によって行われ、前記集中伝送盤と前記センタとの間の情報通信はパケット交換方式によって行われる請求項３記載の端末機器監視システム。
【発明の詳細な説明】
【技術分野】
【０００１】
本発明は、集合住宅の各住戸に設置されている複数の端末機器とセンタとの間での情報通信を中継する集中伝送盤及び端末機器監視システムに関する。
【背景技術】
【０００２】
集合住宅の各住戸に設置されている複数の端末機器とセンタとの間での情報通信を中継する集中伝送盤を備えた端末機器監視システムがある。特許文献１に記載の端末機器監視システムにおいて、集中制御盤は、各端末機器との間で専用線によって接続され、センタとの間で１本の電話回線によって接続される。集中伝送盤と各端末機器との間には上記専用線が各別に配設されているので、集中伝送盤と各端末機器との間の情報通信はそれらの専用線を用いた回線交換方式によって行われ、それに伴って、集中伝送盤とセンタとの間の情報通信も上記電話回線を用いた回線交換方式によって行われる。この集中伝送盤は、センタからのポーリングと、端末機器からの発呼とを処理する。具体的には、集中伝送盤は、センタから全端末機器へのポーリングを中継処理する機能と、ガスメータなどの端末機器からセンタへの警報の発呼を中継処理する機能とを有している。但し、特許文献１に記載のシステムでは、センタと集中伝送盤との間は１本の電話回線によって接続され、回線交換方式による通信が行われるため、複数の通信を同時に行うことはできない。そのため、集中伝送盤は、センタからのポーリングによって電話回線が使用されている間に端末機器からの発呼があった場合には、ポーリングを無視してタイムアウトさせることで電話回線を開放させた上で、その電話回線によって端末機器からの発呼をセンタへ中継する。
【０００３】
【特許文献１】特開平１０−２８５２９２号公報
【発明の開示】
【発明が解決しようとする課題】
【０００４】
特許文献１に記載のシステムでは、ポーリングが行われている間に端末機器からの発呼があった場合には、ポーリングを中断させて発呼を優先して行うことが記載されているが、複数の端末機器からの複数の発呼が重なった場合にはどうするのかは記載されていない。集中伝送盤とセンタとの間が１本の電話回線を用いた回線交換方式によって通信されることを考慮すると、先の発呼が終わるまで後の発呼を行えないようなシステムであると考えられる。集中伝送盤が中継処理する端末機器からセンタへの警報情報などの発呼は、端末機器からセンタへ警報情報の送信許可を求めるための通信内容の伝送、センタから端末機器へ警報情報の送信を許可する旨の通信内容の伝送、端末機器からセンタへ警報情報を送信するための通信内容の伝送という一連の複数の伝送通信によって構成される。よって、集中伝送盤とセンタとの間の電話回線は、端末機器からセンタへの発呼のための一連の通信内容の伝送通信によって長い時間占有される。従って、複数の端末機器からの複数の発呼が重なった場合には、後の発呼を行えるようになるまでには長い待ち時間が必要になり、緊急性を要する警報情報などをセンタへ即座に伝えることができないという問題がある。
【０００５】
本発明は、上記の課題に鑑みてなされたものであり、その目的は、複数の端末機器からの複数の通信を短い待ち時間でセンタへ中継できる集中伝送盤及び端末機器監視システムを提供する点にある。
【課題を解決するための手段】
【０００６】
上記目的を達成するための本発明に係る集中伝送盤の特徴構成は、集合住宅の各住戸に設置されている複数の端末機器とセンタとの間での情報通信を中継する集中伝送盤であって、
通信制御部と補助通信制御部とを備え、
前記通信制御部は、
前記端末機器から前記センタへの通信内容を受け付ける受付処理を行い、前記センタへ、前記端末機器からの通信内容が変換されたＩＰパケットの伝送処理をＩＰ通信により行うと共に、
前記複数の端末機器のうちの一つの端末機器から前記センタへの通信内容を受け付けた後、当該通信内容が変換されたＩＰパケットの前記伝送処理が終了する前に他の端末機器から前記センタへの別の通信内容を受け付けると、前記一つの端末機器から前記センタへの前記通信内容が変換されたＩＰパケットの前記伝送処理が終了するまで当該別の通信内容の保留処理を行って当該別の通信内容を前記補助通信制御部に記憶させ、
前記一つの端末機器から前記センタへの前記通信内容が変換されたＩＰパケットの前記伝送処理が終了した後、前記補助通信制御部に記憶させている前記別の通信内容を読み出して前記センタへの当該別の通信内容が変換されたＩＰパケットの伝送処理を行うように構成されている点にある。
【０００７】
従来は、一つの端末機器と他の端末機器とから相前後してセンタへの通信内容を受け付けたとき、先に受け付けた一つの端末機器からセンタへの通信内容について、端末機器とセンタとの間で通信内容の伝送処理が複数回（端末機器からセンタへ情報の送信許可を求めるための通信内容の伝送、センタから端末機器へ情報の送信を許可する旨の通信内容の伝送、端末機器からセンタへ情報を送信するための通信内容の伝送という一連の複数の伝送など）行われ、その後、後で受け付けた他の端末機器からセンタへの通信内容の伝送処理が同様に行われる。そのため、後で受け付けた他の端末機器からセンタへの通信内容の伝送処理が開始されるまでに長い時間が必要であった。
ところが、上記特徴構成によれば、集中伝送盤とセンタとの間の通信がＩＰ通信であるので、その回線が端末機器とセンタとの間の通信に占有されることはない。よって、集中伝送盤は、一つの端末機器と他の端末機器とから相前後してセンタへの通信内容を受け付けたとき、先に受け付けた一つの端末機器からセンタへの通信内容の伝送処理を行っただけで、その後、センタからの返答の通信を従来のように待つことなく、後に受け付けた他の端末機器からセンタへの通信内容の伝送処理を行う。例えば、集中伝送盤は、先に受け付けた一つの端末機器からセンタへ情報の送信許可を求めるための通信内容の伝送処理を行った後、引き続いて、後で受け付けた他の端末機器からセンタへ情報の送信許可を求めるための通信内容の伝送処理を行う。
従って、複数の端末機器からの複数の通信を短い待ち時間でセンタへ中継できる集中伝送盤を提供できる。
【０００８】
本発明に係る集中伝送盤の別の特徴構成は、前記補助通信制御部は、前記他の端末機器による前記別の通信内容が保留処理の対象となっている間に前記他の端末機器との通信内容がタイムアウトしないように、前記他の端末機器に対して通信継続を指示する点にある。
【０００９】
上記特徴構成によれば、通信内容が保留処理の対象となっている他の端末機器がタイムアウトしないようにできる。
【００１０】
本発明に係る端末監視システムの特徴構成は、前記集中伝送盤と、前記複数の端末機器と、前記センタとを備える点にある。
【００１１】
上記特徴構成によれば、上記集中伝送盤により得られる効果と同様の効果を得ることができる端末監視システムを提供できる。
【００１２】
本発明に係る端末監視システムの特徴構成は、前記集中伝送盤と前記複数の端末機器との間の情報通信は、前記集中伝送盤と前記複数の端末機器との間に各別に配設された専用線を用いた回線交換方式によって行われ、前記集中伝送盤と前記センタとの間の情報通信はパケット交換方式によって行われる点にある。
【００１３】
上記特徴構成によれば、集中伝送盤と端末機器との間の情報通信が回線交換方式で行われても、集中伝送盤とセンタとの間の情報通信がパケット交換方式で行われるので、一つの端末機器からセンタへの情報通信によって集中伝送盤とセンタの間の回線が占有されることがない。よって、複数の端末機器からの複数の通信を短い待ち時間でセンタへ中継できる。
【発明を実施するための最良の形態】
【００１４】
以下に図面を参照して本発明の集中伝送盤及び端末機器監視システムについて説明する。
図１は、端末機器監視システムの構成を示す図である。集合住宅の各住戸にはガスメータなどの端末機器Ｍ１〜Ｍｎ（ｎは２以上の自然数）が設置されている。
集中伝送盤１０は、複数の端末機器Ｍ１〜Ｍｎとセンタ１との間での情報通信を中継する。集中伝送盤１０と端末機器Ｍ１〜Ｍｎとの間は個々に専用線１１で接続されている。センタ１は、端末機器Ｍ１〜Ｍｎで計測された情報や端末機器Ｍ１〜Ｍｎで発せられた警報情報などを収集して監視する。集中伝送盤１０とセンタ１との間はＩＰ通信網２でパケット交換方式により通信可能に接続されている。具体的には、集合住宅には、センタ１と接続されているＩＰ通信網２と接続されるルータ３が設けられており、そのルータ３に複数の集中伝送盤１０が接続されている。図１に示す例では、複数の集中伝送盤１０がルータ３に対して直列に接続されているが、複数の集中伝送盤１０をルータ３に対して並列に接続してもよい。
【００１５】
ルータ３及び各集中伝送盤１０は、イーサネット（登録商標）ケーブルなどを用いて互いに接続されており、双方向通信可能である。一つの集中伝送盤１０がセンタ１と通信しているとき、他の集中伝送盤１０もセンタ１と通信できる。集中伝送盤１０には、複数の端末機器Ｍ１〜Ｍｎが接続されている。例えば、集合住宅１００の各階に１つの集中伝送盤１０が設置され、その各階の住戸に端末機器Ｍ１〜Ｍｎが設置されている。
本発明の端末機器監視システムは、図１に示した、集中伝送盤１０と、複数の端末機器Ｍ１〜Ｍｎと、センタ１とを備える。
【００１６】
図２は、集中伝送盤１０の機能ブロック図である。集中伝送盤１０は、２つのＩＰ通信用インタフェース部１３を有している。一方のＩＰ通信用インタフェース部１３はルータ３又はルータ３へ向かう側の集中伝送盤１０との接続に用いられ、他方のＩＰ通信用インタフェース部１３はルータ３よりも下流側の集中伝送盤１０との接続に用いられる。
【００１７】
集中伝送盤１０は、専用線１１を用いた複数の端末機器Ｍ１〜Ｍｎとの接続を仲介する複数の端末機器用インタフェース部ＩＦ１〜ＩＦｎを有している。上述したように集中伝送盤１０の端末機器用インタフェース部ＩＦ１〜ＩＦｎと端末機器Ｍ１〜Ｍｎとの間は専用線１１で各別に接続される。集中伝送盤１０における複数の端末機器Ｍ１〜Ｍｎとセンタ１との間での情報通信は、制御部１２によって制御される。具体的には、集中伝送盤１０と各端末機器Ｍ１〜Ｍｎとの間の情報通信は、集中伝送盤１０と各端末機器Ｍ１〜Ｍｎとの間に各別に配設された専用線１１を用いた回線交換方式によって行われる。つまり、本発明の端末監視システムでは、集中伝送盤１０と複数の端末機器Ｍ１〜Ｍｎとの間の情報通信は回線交換方式によって行われ、集中伝送盤１０とセンタ１との間の情報通信はパケット交換方式によって行われる。
【００１８】
制御部１２は、主制御部１４及び複数の補助通信制御部ＳＣ１〜ＳＣｍ（ｍは２以上の自然数）を有する。主制御部１４は、通信制御部１５、プロトコル変換部１６、自己情報記憶部１７及び端末情報記憶部１８を有する。補助通信制御部ＳＣ１〜ＳＣｍは、通信バッファ部１９及び通信監視タイマ部２０を有する。
【００１９】
通信制御部１５は、端末機器Ｍ１〜Ｍｎからセンタ１への通信内容を受け付ける受付処理と、ＩＰ通信に基づくパケット交換方式により、端末機器Ｍ１〜Ｍｎからセンタ１への通信内容の伝送処理とを行う。つまり、集中伝送盤１０と複数の端末機器Ｍ１〜Ｍｎとの間の情報通信は回線交換方式によって行われ、集中伝送盤１０とセンタ１との間の情報通信はパケット交換方式によって行われるため、集中伝送盤１０において、通信方式（プロトコル）を変換する必要がある。そこで、プロトコル変換部１６は、センタ１からのパケット交換方式の情報通信を、端末機器Ｍ１〜Ｍｎへの回線交換方式の情報通信へと通信プロトコルを変換し、端末機器Ｍ１〜Ｍｎからの回線交換方式の情報通信を、センタ１へのパケット交換方式の情報通信へと通信プロトコルを変換する機能を有する。
【００２０】
プロトコル変換部１６は、上述した通信プロトコルの変換処理において、自己情報記憶部１７及び端末情報記憶部１８に記憶されている情報を利用する。自己情報記憶部１７は、自己の集中伝送盤１０のＩＰアドレス及びセンタ１のＩＰアドレスを記憶している。端末情報記憶部１８は、自己の集中伝送盤１０に接続されている端末機器Ｍ１〜Ｍｎに関する情報を記憶している。主制御部１４が以上のように構成されることで、通信制御部１５は、端末機器Ｍ１〜Ｍｎからセンタ１への情報の通信内容を受け付ける受付処理を行った後、プロトコル変換部１６に、自己情報記憶部１７に記憶されている自己の集中伝送盤１０のＩＰアドレス及び端末情報記憶部１８に記憶されている端末機器Ｍ１〜Ｍｎの識別情報を用いて、その情報をＩＰパケットに変換させ、そして、作成されたＩＰパケットをセンタ１へ伝送する伝送処理を行う。
【００２１】
具体的には、端末機器Ｍ１〜Ｍｎは、ガスメータ、水道メータ、ガス漏れ警報器、火災警報器、セキュリティ盤などの監視端末機器であり、メータ指針値などの通常情報を計測して記憶するように構成されている。よって、集中伝送盤１０の通信制御部１５は、センタ１から上記通常情報の送信要求があった場合には、該当する端末機器Ｍ１〜Ｍｎへその送信要求を伝送する。そして、通信制御部１５は、該当する端末機器Ｍ１〜Ｍｎから、送信要求を受けていた上記通常情報を受け付けると（受付処理）、プロトコル変換部１６にその情報をＩＰパケットに変換させ、そのＩＰパケットをセンタ１へと伝送する（伝送処理）。
【００２２】
また、端末機器Ｍ１〜Ｍｎは、ガス漏洩などの異常情報をセンタ１へ通報するようにも構成されている。この場合、通信制御部１５は、端末機器Ｍ１〜Ｍｎからセンタ１へ情報（上記異常情報）の送信許可を求めるための通信内容を受け付けると（受付処理）、プロトコル変換部１６にその通信内容をＩＰパケットに変換させ、そのＩＰパケットをセンタ１へと伝送する（伝送処理）。
その後、通信制御部１５は、センタ１から端末機器Ｍ１〜Ｍｎへ、上記異常情報の送信を許可する旨の通信内容を受けると、該当する端末機器Ｍ１〜Ｍｎへその通信内容を伝送する。そして、通信制御部１５は、その端末機器Ｍ１〜Ｍｎからセンタ１へ上記異常情報を含む通信内容を受け付けると（受付処理）、プロトコル変換部１６にその通信内容をＩＰパケットに変換させ、そのＩＰパケットをセンタ１へと伝送する（伝送処理）。
【００２３】
本発明の集中伝送盤１０には複数の端末機器Ｍ１〜Ｍｎが接続されているため、通信制御部１５が、ある一つの端末機器についての上記伝送処理を行っている最中にも、他の端末機器からセンタへの通信内容の受付処理を行うこともある。その場合、通信制御部１５は、既に行っている一つの端末機器についての伝送処理に加えて、他の端末機器についての伝送処理を行う必要が生じる。
そこで、通信制御部１５は、複数の端末機器Ｍ１〜Ｍｎの何れか一つからセンタ１への通信内容の伝送処理を行っているとき、他の端末機器からセンタ１への別の通信内容を受け付けると（受付処理）、当該別の通信内容の保留処理を行って当該別の通信内容を補助通信制御部ＳＣ１〜ＳＣｍのうちの一つに記憶させ、一つの端末機器からセンタ１への伝送処理が終了した後で、補助通信制御部ＳＣ１〜ＳＣｍに記憶させている上記別の通信内容を読み出して伝送処理を行うように構成されている。
【００２４】
本実施形態において、補助通信制御部ＳＣ１〜ＳＣｍは、通信バッファ部１９と通信監視タイマ部２０とを有する。補助通信制御部ＳＣ１〜ＳＣｍは、通信制御部１５が受付処理及び保留処理を行った通信内容を通信バッファ部１９に記憶させる。通信監視タイマ部２０は、センタ１への通信内容が保留処理の対象となっている端末機器が、その保留処理の対象となっている間にタイムアウトしないように、保留処理になってからの時間を計測している。補助通信制御部ＳＣ１〜ＳＣｍは、通信監視タイマ部２０で計測される、保留処理になってからの時間を参照して、上記他の端末機器による上記別の通信内容が保留処理の対象となっている間に上記他の端末機器との通信がタイムアウトしないように、主制御部１４を介して上記他の端末機器に対して通信継続を指示する。
本実施形態において、補助通信制御部ＳＣ１〜ＳＣｍの数（ｍ）は、端末機器Ｍ１〜Ｍｎの数（ｎ）以下であればよい。
【００２５】
図３は、集中伝送盤１０が行う、端末機器Ｍ１〜Ｍｎとセンタ１との間の情報通信の中継のタイミング図である。具体的には、図３には、端末機器Ｍ１及び端末機器Ｍ２からセンタ１へ情報の通信を行う場合のタイミング図を例示する。
時刻ｔ３において集中伝送盤１０の通信制御部１５は、端末機器Ｍ１から時刻ｔ１に発信された、情報の送信許可要求（即ち、情報の送信許可を求めるための通信内容）を受付処理し、時刻ｔ５からセンタ１への上記送信許可要求の伝送処理を開始する。
また、時刻ｔ４において集中伝送盤１０の通信制御部１５は、端末機器Ｍ２から時刻ｔ２に発信された、情報の送信許可要求を受付処理する。ところが、通信制御部１５は、時刻ｔ４の時点では端末機器Ｍ１からセンタ１への情報の送信許可要求を受け付けているため、端末機器Ｍ２からセンタ１への情報の送信許可要求の伝送処理を行うことができない。よって、通信制御部１５は、端末機器Ｍ１からセンタ１への情報の送信許可要求の伝送処理が終了するまで、端末機器Ｍ２からセンタ１への情報の送信許可要求の保留処理を行う。具体的には、通信制御部１５は、端末機器Ｍ２からセンタ１への情報の送信要求の内容を補助通信制御部ＳＣ１（通信バッファ部１９）に記憶させるような保留処理を行う。尚、補助通信制御部ＳＣ１は、通信監視タイマ部２０で計測される、保留処理になってからの時間を参照して、端末機器Ｍ２による通信内容が保留処理の対象となっている間に端末機器Ｍ２との通信がタイムアウトしないように、主制御部１４を介して端末機器Ｍ２に対して通信継続を指示する。
【００２６】
通信制御部１５は、時刻ｔ６において端末機器Ｍ１についての伝送処理が終了すると、補助通信制御部ＳＣ１（通信バッファ部１９）に記憶させていた、端末機器Ｍ２からセンタ１への情報の送信許可要求を読み出し、その伝送処理を開始する。
【００２７】
センタ１は、時刻ｔ７において端末機器Ｍ１への情報の送信許可を集中伝送盤１０に発信し、それが終了した後、時刻ｔ８において端末機器Ｍ２へ情報の送信許可を集中伝送盤１０に発信する。
その後、集中伝送盤１０の通信制御部１５は、時刻ｔ９において、センタ１から受信した情報の送信許可を端末機器Ｍ１に発信する。端末機器Ｍ１は、情報の送信許可を受信すると、該当する情報の送信を開始する。次に、集中伝送盤１０は、時刻ｔ１０において、センタ１から受信した情報の送信許可を端末機器Ｍ２に発信する。端末機器Ｍ２は、情報の送信許可を受信すると、該当する情報の送信を開始する。
【００２８】
時刻ｔ１１において集中伝送盤１０の通信制御部１５は、端末機器Ｍ１からセンタ１へ発信された情報（即ち、情報を送信するための通信）を受付処理し、時刻ｔ１３からセンタ１への上記情報の伝送処理を開始する。
また、時刻ｔ１２において集中伝送盤１０の通信制御部１５は、端末機器Ｍ２から発信された情報を受付処理する。ところが、通信制御部１５は、時刻ｔ１２の時点では端末機器Ｍ１からセンタ１への情報を受け付けているため、端末機器Ｍ２からセンタ１への情報の伝送処理を行うことができない。よって、通信制御部１５は、端末機器Ｍ１からセンタ１への情報の伝送処理が終了するまで（時刻ｔ１４まで）、端末機器Ｍ２からセンタ１への情報の保留処理を行う。ここでも、補助通信制御部ＳＣ１は、通信監視タイマ部２０で計測される、保留処理になってからの時間を参照して、端末機器Ｍ２による通信内容が保留処理の対象となっている間に端末機器Ｍ２との通信がタイムアウトしないように、主制御部１４を介して端末機器Ｍ２に対して通信継続を指示する。
【００２９】
通信制御部１５は、時刻ｔ１４において端末機器Ｍ１についての伝送処理が終了すると、補助通信制御部ＳＣ１（通信バッファ部１９）に記憶させていた、端末機器Ｍ２からセンタ１への情報を読み出し、その伝送処理を開始する。
【００３０】
以上のように、従来は、一つの端末機器Ｍ１と他の端末機器Ｍ２とから相前後してセンタ１への通信内容を受け付けたとき、先に受け付けた一つの端末機器Ｍ１からセンタ１への通信内容について、端末機器Ｍ１とセンタ１との間で通信内容の伝送処理が複数回（端末機器Ｍ１からセンタ１へ情報の送信許可を求めるための通信内容の伝送、センタ１から端末機器Ｍ１へ情報の送信を許可する旨の通信内容の伝送、端末機器Ｍ１からセンタ１へ情報を送信するための通信内容の伝送という一連の複数の伝送など）行われ、その後、図３の時刻ｔ１４になってようやく、後で受け付けた他の端末機器Ｍ２からセンタ１への通信内容の伝送処理が同様に開始されていた。そのため、後で受け付けた他の端末機器Ｍ２からセンタ１への通信内容の伝送処理が開始されるまでに長い時間（図３では、時刻ｔ４〜時刻１４までの間）が必要であった。更に、その間に端末機器Ｍ２からセンタ１への通信がタイムアウトする可能性もあった。
ところが、本発明では、集中伝送盤１０とセンタ１との間の通信がＩＰ通信であるので、その回線が端末機器Ｍとセンタ１との間の通信に占有されることはない。よって、集中伝送盤１０は、一つの端末機器Ｍ１と他の端末機器Ｍ２とから相前後してセンタ１への通信内容を受け付けたとき、先に受け付けた一つの端末機器Ｍ１からセンタ１への通信内容の伝送処理を行っただけで、その後、センタ１からの返答の通信を従来のように待つことなく、後に受け付けた他の端末機器Ｍ２からセンタ１への通信内容の伝送処理を行う。従って、複数の端末機器Ｍ１〜Ｍｎからの複数の通信を短い待ち時間でセンタ１へ中継できる。
【００３１】
＜別実施形態＞
上記実施形態では、集中伝送盤１０が、端末機器Ｍ１と端末機器Ｍ２とから相前後してセンタ１への通信内容を受け付けた場合の例を説明したが、集中伝送盤１０が更に多数の端末機器からセンタ１への通信内容を受け付けることもある。その場合、集中伝送盤１０の通信制御部１５は、保留処理を行った複数の通信内容を、補助通信制御部ＳＣ１〜ＳＣｍへ順に記憶させる。その後、通信制御部１５は、補助通信制御部ＳＣ１に記憶されている通信内容から順に読み出して、その伝送処理を行う。
【産業上の利用可能性】
【００３２】
本発明は、複数の端末機器からの複数の通信を短い待ち時間でセンタへ中継できる集中伝送盤に利用可能である。
【図面の簡単な説明】
【００３３】
【図１】端末機器監視システムの構成を示す図
【図２】集中伝送盤の機能ブロック図
【図３】集中伝送盤が行う、端末機器とセンタとの間の情報通信の中継のタイミング図
【符号の説明】
【００３４】
１  センタ
１０  集中伝送盤
１５  通信制御部
Ｍ１〜Ｍｎ  端末機器
ＳＣ１〜ＳＣｍ  補助通信制御部
１００  集合住宅
【図１】
0005221181.tif 000002
【図２】
0005221181.tif 000003
【図３】
0005221181.tif 000004